(57)【要約】【課題】使用者と使用者の周囲の人の両者にとって、着信音が継続して鳴音することによる不快感を低減する移動端末を提供する。【解決手段】移動端末１０は、移動端末１０に対する通信ネットワークからの着信を検知する中央処理部１２０と、移動端末１０の周囲の音を収集する収音部１５０と、中央処理部１２０が着信を検知した場合、収音部によって収集された周囲の音を再生する鳴音部１４０とを備える。【選択図】図１
2007208514.tif 000002
【特許請求の範囲】
【請求項１】
移動端末に対する通信ネットワークからの着信を検知する中央処理部と、
前記移動端末の周囲の音を収集する収音部と、
前記中央処理部が着信を検知した場合、前記収音部によって収集された周囲の音を再生する鳴音部と
を備えることを特徴とする移動端末。
【請求項２】
前記収音部によって収集された周囲の音から、人間の音声を除去する音声除去部を更に備え、
前記鳴音部は、前記音声除去部によって人間の音声を除去された周囲の音を再生することを特徴とする請求項１に記載の移動端末。
【発明の詳細な説明】
【技術分野】
【０００１】
本発明は、移動端末に関する。
【背景技術】
【０００２】
移動通信契約数は８５００万件を超す中で、移動通信、とりわけ携帯電話と呼ばれる無線電話装置類は広く普及している。
【０００３】
携帯電話の特長は、サービスエリア内であれば、どこからでも発信ができるほか、着信ができるところにある。通常、携帯電話は着信信号をネットワークから受信すると、スピーカから音を鳴らす（鳴音）、発光部が発光する、バイブレータといわれる小型の振動発生器を作動させて振動する、ディスプレイに着信中である旨を表示する、などの方法によって、着信を使用者に対して伝える（例えば、特許文献１参照。）。
【０００４】
ここで、鳴音について注目してみると、初期の携帯電話は、いわゆる黒電話と呼ばれる初期の固定電話の電鈴による着信音をあたかも模したかのような、圧電ブザーから生成される電子音が中心であった。その後、圧電ブザーの制御を効果的に行うことで音程が表現できるようになり、単音による旋律が表現できることとなった。
【０００５】
携帯電話契約数が増大すると、特定少数の使用者が使うものではなくなってきて、特に雑踏、人の集まるところ、飲食店店内や電車内など、不特定多数の人間が比較的密集しているような場所にあっては、時をおかずして頻繁に着信音が鳴り響くことが多くなった。
【０００６】
ここで、簡単ながらも音の旋律により音楽が表現できることもあって、複数の着信音が装備されるようになり、また使用者自ら旋律を入力することによって、独自の着信音を表現できることとなった。
【０００７】
次第に着信音自体が注目されるようになり、単音から和音に表現が広がり、圧電ブザーからＦＭ（Frequency Modulation）音源になることで音質が良くなり、音の表現力が更に増していった。
【０００８】
ついには、音楽ファイル形式（ＭＰ３（Moving Picture Experts Group Audio Layer-3）など）を再生する機能と組み合わせることで、ＣＤ（Compact Disc）に記録されている音楽を着信時に再生できるような携帯電話が登場するまでになった。
【特許文献１】特開２００３−２４４３１４号公報
【発明の開示】
【発明が解決しようとする課題】
【０００９】
電話は、主に特定話者（通常は一対一）が通信をするための道具であって、携帯電話は電波を使用することによって、電話線には束縛されずに、場所を選ばずに通話することのできる道具である。しかし、不特定多数の人間が密集しているようなところで、相手方の発声が聞こえないような会話をしていると、しばしば周囲の人間と軋轢が生じることもあり、社会問題となることもあった。
【００１０】
着信音について注目しても、当初の単純な電子音から改良され、デジタル収録された音楽を忠実に再生することで、質の高い音楽再生機能を提供するようになっても、いったん着信動作が発生すると、使用者が速やかに応答操作をするか、発信者側が着信側で応答しないことに諦めて呼び出しを中止しない限り、着信音は鳴り続ける。もしそれがCDやMP3が再生する程度の質の高い音楽であっても、他人にとっては特に今耳にしたくないような音楽（楽曲）を意志に反して聞かされていると感じれば、それは不快感を招くこととなって、ともすれば社会問題化することもあるかも知れない。
【００１１】
どこでも着信を受けることのできる携帯電話は理想であるが、着信した側にとって着信応答することがかえって不都合となるような場合も、日常生活においてはしばしばあることであり、それが速やかに対応して、例えば着信応答が現在できないことを相手方に通知したり、音声蓄積装置に応答を切り替えたりする操作を行うこともあれば、速やかな対応が難しい場合（例えば混雑した電車車内において網棚に乗せた荷物（鞄など）の中に入っているため容易に携帯電話を取り出すことができない場合など）には、逆に着信音をできるだけ周囲の人に気付かれたくないような場合もある。
【００１２】
利用者としては、自分が着信に対して応答できる場所では速やかに応答したく、逆に速やかな応答が難しい場合は、周囲の人はもちろんのこと、自分自身もその着信に気が付かないくらいでも構わない（着信履歴を確認して発信者番号通知を元に後でかけ直すことも容易であるため）という状況が却って利便性として評価されることもあろう。
【００１３】
そこで、本発明は、上記課題に鑑み、使用者と使用者の周囲の人の両者にとって、着信音が継続して鳴音することによる不快感を低減する移動端末を提供することを目的とする。
【課題を解決するための手段】
【００１４】
上記目的を達成するため、本発明の特徴は、（ａ）移動端末に対する通信ネットワークからの着信を検知する中央処理部と、（ｂ）移動端末の周囲の音を収集する収音部と、（ｃ）中央処理部が着信を検知した場合、収音部によって収集された周囲の音を再生する鳴音部とを備える移動端末であることを要旨とする。
【００１５】
本発明の特徴に係る移動端末によると、使用者と使用者の周囲の人の両者にとって、着信音が継続して鳴音することによる不快感を低減することができる。
【００１６】
又、本発明の特徴に係る移動端末は、収音部によって収集された周囲の音から、人間の音声を除去する音声除去部を更に備え、鳴音部は、音声除去部によって人間の音声を除去された周囲の音を再生してもよい。
【００１７】
この移動端末によると、人間の音声を除去した周囲の音を着信音として使用することにより、プライバシーへの配慮も実現することができる。
【発明の効果】
【００１８】
本発明によると、使用者と使用者の周囲の人の両者にとって、着信音が継続して鳴音することによる不快感を低減する移動端末を提供することができる。
【発明を実施するための最良の形態】
【００１９】
次に、図面を参照して、本発明の実施の形態を説明する。以下の図面の記載において、同一又は類似の部分には、同一又は類似の符号を付している。ただし、図面は模式的なものであることに留意すべきである。
【００２０】
＜第１の実施の形態＞
（移動端末の構成）
第１の実施の形態に係る移動端末は、移動通信事業者から発行されたＵＳＩＭ（Universal Subscriber Identity Module）を接続し、この移動通信事業者の提供する電気通信回線に無線により接続可能であることを想定する。
【００２１】
第１の実施の形態に係る移動端末１０は、図１に示すように、無線制御部１１０と、中央処理部１２０と、表示・操作部１３０と、鳴音部１４０と、収音部１５０と、外部インタフェース部１６０と、記憶部１７０と、アンテナ部１８０とを備える。
【００２２】
無線制御部１１０は、移動通信事業者との無線回線による接続処理を行う。
【００２３】
中央処理部１２０は、移動端末１０全体の処理を制御する。例えば、中央処理部１２０は、移動端末１０に対する通信ネットワークからの着信を検知する。
【００２４】
表示・操作部１３０は、移動端末１０と使用者とのインタフェースをなす。表示機能としては、液晶表示装置（ＬＣＤ）、発光ダイオード（ＬＥＤ）パネル等が使用可能であり、操作機能としては、キーパッド等が使用可能である。
【００２５】
鳴音部１４０は、中央処理部１２０が着信を検知した場合、収音部１５０によって格納された周囲の音を再生する。鳴音部１４０としては、スピーカ等が使用可能である。
【００２６】
収音部１５０は、移動端末１０の周囲の音を収集し、記憶部１７０に格納する。収音部１５０としては、マイクロフォン等が使用可能である。
【００２７】
外部インタフェース部１６０は、移動端末１０と移動端末１０の外部に接続される機器（例えば、ＵＳＩＭ、メモリカードなど）とのインタフェースをなす。
【００２８】
記憶部１７０は、移動端末１０の処理その他に必要な情報、処理途中のデータ等を格納する。又、記憶部１７０は、収音部１５０によって収集された、移動端末１０の周囲の音を格納する。
【００２９】
アンテナ部１８０は、無線制御部１１０と対となり、移動通信事業者との無線回線による接続を行う。
【００３０】
（移動端末の制御方法）
続いて、第１の実施の形態に係る移動端末の制御方法について、図２を用いて説明する。この移動端末の制御方法は、移動端末１０が移動通信事業者の提供する電気通信回線に無線回線により接続され、かつＵＳＩＭを移動端末１０に外部インタフェース部１６０を介して接続した場合において、移動端末１０に対して着信を行う方法である。
【００３１】
まず、移動端末１０に対して、移動通信事業者から着信の通知がある。中央処理部１２０は、アンテナ部１８０及び無線制御部１１０を介して、着信を通知される。
【００３２】
次に、中央処理部１２０は、収音部１５０に対して、周囲の音を収集するよう指示を出す（ステップＳ１０１）。収音部１５０は、中央処理部１２０からの信号を受信して、周囲の音を収集する。ここで、収集された音は、後に鳴音部１４０から着信音として鳴音させるものであるため、使用者がその鳴音を認識して移動端末１０の着信応答操作を表示・操作部１３０により行い、着信応答するための十分な時間を提供し、かつ、使用者が着信応答しない（あるいは気が付かない）場合には、適度な時間で鳴音を終了する必要があるため、数秒から長くても十秒程度であることが望ましい。
【００３３】
続いて、収音部１５０は、収集した周囲の音を記憶部１７０に転送し（ステップＳ１０２）、記憶部１７０は、収集された周囲の音を格納する（ステップＳ１０３）。そして、記憶部１７０は、格納された音声情報を鳴音部に転送する（ステップＳ１０４）。
【００３４】
続いて、鳴音部１４０は、格納された音声情報を再生する（ステップＳ１０５）。このとき、鳴音部１４０は、移動通信事業者からの要求が続く限り、繰り返し音声情報を再生してもよく、予め設定された一定時間の間、繰り返し音声情報を再生してもよい。
【００３５】
尚、上記の方法では、着信通知を受信した中央処理部１２０からの指示によって、収音部１５０は周囲の音を収集すると説明したが、収音部１５０は絶えず一定時間の周囲の音を収集し、着信通知を受信した中央処理部１２０からの指示によって、鳴音部１４０が周囲の音を再生してもよい。
【００３６】
（作用及び効果）
第１の実施の形態に係る移動端末１０によると、着信を検知した場合に、移動端末１０の周囲の音を着信音として繰り返し再生することができる。
【００３７】
このため、着信時における周囲の環境を著しく損なうことなく使用者がその着信を認識して応答操作に移行することができる。あるいは、着信を認識することができないか、または何らかの事由により着信を認識していたにも関わらず応答操作が直ちに困難であったために着信鳴音が継続しているような場合であっても、周囲の環境を著しく損なうことを防ぐことが可能となる。
【００３８】
従って、使用者と使用者の周囲の人の両者にとって、着信音が継続して鳴音することによる不快感を低減することができ、公共の場における移動端末の利便性を更に増すことができる。
【００３９】
＜第２の実施の形態＞
第２の実施形態では、第１の実施の形態において収集した周囲の音から人間の音声を除去し、着信音として使用する移動端末について説明する。
【００４０】
（移動端末の構成）
第２の実施の形態に移動端末１０は、図３に示すように、無線制御部１１０と、中央処理部１２０と、表示・操作部１３０と、鳴音部１４０と、収音部１５０と、外部インタフェース部１６０と、記憶部１７０と、アンテナ部１８０と、音声除去部１９０とを備える。
【００４１】
収音部１５０は、移動端末１０の周囲の音を収集し、記憶部１７０に格納する。
【００４２】
音声除去部１９０は、収音部１５０によって収集された周囲の音から、人間の肉声部に相当する周波数帯域を縮減することにより、人間の音声を除去する。そして、音声除去部１９０は、人間の音声が除去された周囲の音を記憶部１７０に格納する。
【００４３】
鳴音部１４０は、中央処理部１２０が着信を検知した場合、記憶部１７０に格納された、人間の音声が除去された周囲の音を再生する。
【００４４】
記憶部１７０は、移動端末１０の処理その他に必要な情報、処理途中のデータ等を格納する。又、記憶部１７０は、収音部１５０によって収集された、移動端末１０の周囲の音、及び音声除去部１９０によって人間の音声が除去された周囲の音を格納する。
【００４５】
尚、無線制御部１１０と、中央処理部１２０、表示・操作部１３０、外部インタフェース部１６０については、第１の実施の形態と同様であるので、ここでは説明を省略する。
【００４６】
（移動端末の制御方法）
続いて、第２の実施の形態に係る移動端末の制御方法について、図４を用いて説明する。この移動端末の制御方法は、移動端末１０が移動通信事業者の提供する電気通信回線に無線回線により接続され、かつＵＳＩＭを移動端末１０に外部インタフェース部１６０を介して接続した場合において、移動端末１０に対して着信を行う方法である。
【００４７】
まず、移動端末１０に対して、移動通信事業者から着信の通知がある。中央処理部１２０は、アンテナ部１８０及び無線制御部１１０を介して、着信を通知される。
【００４８】
次に、中央処理部１２０は、収音部１５０に対して、周囲の音を収集するよう指示を出す（ステップＳ２０１）。収音部１５０は、中央処理部１２０からの信号を受信して、周囲の音を収集する。ここで、収集された音は、後に鳴音部１４０から着信音として鳴音させるものであるため、使用者がその鳴音を認識して移動端末１０の着信応答操作を表示・操作部１３０により行い、着信応答するための十分な時間を提供し、かつ、使用者が着信応答しない（あるいは気が付かない）場合には、適度な時間で鳴音を終了する必要があるため、数秒から長くても十秒程度であることが望ましい。
【００４９】
続いて、収音部１５０は、収集した周囲の音を音声除去部１９０に転送する（ステップＳ２０２）。そして、音声除去部１９０は、収音部１５０によって収集された周囲の音から、人間の肉声部に相当する周波数帯域を縮減することにより、人間の音声を除去する。（ステップＳ２０３）。
【００５０】
続いて、音声除去部１９０は、人間の音声を除去した周囲の音を記憶部１７０に転送し（ステップＳ２０４）、記憶部１７０は、人間の音声が除去された周囲の音を格納する（ステップＳ２０５）。
【００５１】
続いて、記憶部１７０は、格納された音声情報を鳴音部に転送する（ステップＳ２０６）。
【００５２】
続いて、鳴音部１４０は、格納された音声情報を再生する（ステップＳ２０７）。このとき、鳴音部１４０は、移動通信事業者からの要求が続く限り、繰り返し音声情報を再生してもよく、予め設定された一定時間の間、繰り返し音声情報を再生してもよい。
【００５３】
尚、上記の方法では、収音部１５０が収集した周囲の音を音声除去部１９０に直接転送すると説明したが、収音部１５０は、収集した周囲の音を記憶部１７０に格納し、音声除去部１９０は、記憶部１７０に格納された周囲の音に対して、人間の音声を除去する処理を行ってもよいことは勿論である。
【００５４】
（作用及び効果）
第２の実施の形態に係る移動端末によると、周囲の音を収集し、肉席に相当する周波数帯域を縮減した上で、着信音として再生することが可能となる。このように、人間の音声を除去した周囲の音を着信音として使用することにより、プライバシーへの配慮も実現することができる。
【００５５】
＜その他の実施形態＞
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００５６】
例えば、本発明の実施の形態において、移動端末として携帯電話を用いて説明したが、移動端末は無線接続機能を有すればよく、携帯電話に限らず、例えば、ＰＨＳ、ノートパソコン、ＰＤＡなどでも構わない。
【００５７】
このように、本発明はここでは記載していない様々な実施形態等を含むことは勿論である。従って、本発明の技術的範囲は上記の説明から妥当な特許請求の範囲に係る発明特定事項によってのみ定められるものである。
【図面の簡単な説明】
【００５８】
【図１】第１の実施形態に係る移動端末の構成ブロック図である。
【図２】第１の実施形態に係る移動端末の制御方法を示すフローチャートである。
【図３】第２の実施形態に係る移動端末の構成ブロック図である。
【図４】第２の実施形態に係る移動端末の制御方法を示すフローチャートである。
【符号の説明】
【００５９】
１０…移動端末
１１０…無線制御部
１２０…中央処理部
１３０…表示・操作部
１４０…鳴音部
１５０…収音部
１６０…外部インタフェース部
１７０…記憶部
１８０…アンテナ部
１９０…音声除去部
【図１】
2007208514.tif 000003
【図２】
2007208514.tif 000004
【図３】
2007208514.tif 000005
【図４】
2007208514.tif 000006